(57)【特許請求の範囲】
【請求項１】
表面(4a)へ複数の凸部(５)を形成した成型シート(４)の裏面(4b)にシールシート(７)を貼り合わせて各凸部(５)内の収容部(６)を個別密封したブリスター包装体(２)と、このブリスター包装体(２)を覆うカバーケース(３)とからなり、
上記ブリスター包装体（２）とカバーケース(３)とは貼り合わせられておらず、
上記カバーケース(３)の表面(3a)側で上記凸部(５)と対応する位置に開口部(８)を形成するとともに、このカバーケース(３)の裏面(3b)側で上記収容部(６)のうち１回に取り出される収容部(６)全体と対向する部位ごとに開封部(14)を形成したことを特徴とする、カバーケース付きブリスター包装体。
【請求項２】
上記開封部(14)を、上記１回に取り出される収容部(６)全体と対向する部位を取り囲む状態にジッパー形式のミシン線(15)を形成して構成した、請求項１に記載のカバーケース付きブリスター包装体。
【請求項３】
上記カバーケース(３)を吸湿性の低い材料で形成した、請求項１または請求項２に記載のカバーケース付きブリスター包装体。
【発明の詳細な説明】
【０００１】
【発明の属する技術分野】
本発明は、錠剤やカプセルなどの包装に用いるブリスター包装体をカバーケースで覆ったカバーケース付きブリスター包装体に関し、さらに詳しくは、取出し操作や注意事項などの表示領域を十分に確保できるうえ、１回に取り出される収容部のみを開封して所定数量の被包装物を正確に取り出すことができ、しかも誤って包装体ごと飲み込む惧れのない包装体に関する。
【０００２】
【発明の背景】
錠剤やカプセル等の固形剤の包装には、プラスチック製成型シートの表面に複数の凸部を形成し、この凸部内の収容部に固形剤を収容して裏面をシールシートで密封し、服用時には上記凸部を押圧することにより固形剤でシールシートを押し破って取り出すようにした、いわゆるＰＴＰ形式のブリスター包装体がある。
このＰＴＰ形式のブリスター包装体は、固形剤が個々に包装されていること、計数管理が容易であること、コンパクトで保管等が容易であること、取り出し操作が比較的簡単であること、等の利点から、固形剤の包装に多用されている。
【０００３】
上記ブリスター包装体は、一般に一種類の固形剤を並べて包装してあるので、１回に複数個や複数種の固形剤を服用する場合は各ブリスター包装体からそれぞれ必要個数を取り出さなければならず、服用数量に過不足を生じる惧れがある。これを防止するために、１回の服用量を各ブリスター包装体から予め切り分けて準備することもあるが、この切り分け作業が煩雑であるうえ、個々に切り離されたブリスター包装体を誤って包装体ごと飲み込んでしまう惧れもある。
【０００４】
【従来の技術】
これらの欠点を解消するブリスター包装体として、従来、例えば特開平７−２６７２８４号公報に開示のように、１回の服用量ごとに固形剤を一列に並べて包装したものがある。これは、例えば図６に示すように、縦横に形成した各凸部(51)に、縦方向には同じ種類の錠剤(53)やカプセル(54)などの固形剤(52)を収容し、横方向には１回に服用する複数個、複数種の固形剤(52)を収容したブリスター包装体(50)である。服用時は横方向の一列をミシン線(55)で切り離すなどして、正確に１回の服用量のみが取り出される。
【０００５】
【発明が解決しようとする課題】
上記従来のブリスター包装体(50)は、表面や裏面にメーカー名、製品名、品番など僅かな情報が表示されているだけで、取出し操作や注意事項など、詳しい説明は包装体に添付された別紙に記載されることが多く、これらの記載を十分に読まないまま固形剤を取り出して服用してしまうことがある。しかも、ＰＴＰ形式のブリスター包装体は、前記のように凸部(51)を押圧するだけで固形剤(52)を比較的簡単に取り出せることから、１回に服用する部分以外を誤って開封し易く、服用量に過不足を生じる惧れがある。
【０００６】
本発明は上記問題点を解消し、取出し操作や注意事項などの表示領域を十分に確保できるうえ、１回に取り出される収容部のみを開封して所定数量の被包装物を正確に取り出すことができ、しかも誤って包装体ごと飲み込む惧れのない包装体を提供することを技術的課題とする。
【０００７】
【課題を解決するための手段】
本発明は上記課題を解決するために、例えば、本発明の実施の形態を示す図１から図５に基づいて説明すると、次のように構成したものである。
即ち、表面(4a)へ複数の凸部(５)を形成した成型シート(４)の裏面(4b)にシールシート(７)を貼り合わせて各凸部(５)内の収容部(６)を個別密封したブリスター包装体(２)と、このブリスター包装体(２)を覆うカバーケース(３)とからなり、上記カバーケース(３)の表面(3a)側で上記凸部(５)と対応する位置に開口部(８)を形成するとともに、このカバーケース(３)の裏面(3b)側で上記収容部(６)のうち１回に取り出される収容部(６)全体と対向する部位ごとに開封部(14)を形成したことを特徴とする。
【０００８】
上記開封部は、１回に取り出される収容部全体を取り囲む図３に示すようなジッパー形式のミシン線(15)や、図４に示す破線状のミシン線(17)などで構成することができる。
また上記カバーケースの構成材料は特に限定されないが、種々の記載を容易に表示できる紙材料などの印刷可能な材料で構成するのが好ましく、また、吸湿性の低い材料で形成した場合には、このカバーケースに多量の水分が保持されることがなく、より好ましい。
【０００９】
【作用】
保管中など上記開封部が開封される前は、ブリスター包装体のシールシートに沿ってカバーケースの開封部が位置しているため、上記凸部を誤って押圧してもシールシートがカバーケースの開封部に支持されて容易に押し破られない。
【００１０】
一方、上記ブリスター包装体を覆うカバーケースには、さまざまな事項を表示できる領域が確保されており、特に、裏面側は開封前の開封部を含めてほぼ全面を表示領域に用いることができる。このため、被包装物を取り出す際の操作方法やその他の注意事項などを十分に表示でき、しかもこのカバーケースはブリスター包装体と一体になっているので、取出し操作等はこれらの表示を確実に読みながら正しく行われる。
【００１１】
そして被包装物を取り出す際は、上記開封部を開封したのち、この開封部に対向していた収容部全体について、カバーケースの表面側の上記開口部から露出している上記凸部を押圧し、これにより必要数の被包装物のみがすべて取り出される。
【００１２】
【実施の形態】
以下、本発明の実施の形態を図面に基づき説明する。
【００１３】
図１から図３は本発明の第１実施形態を示し、図１はカバーケース付きブリスター包装体の一部を破断した正面図、図２は図１のブリスター包装体をＡ−Ａ線で破断した端面図、図３は一方の開封部を開封する途中の背面図である。
【００１４】
図１および図２に示すように、このカバーケース付きブリスター包装体(１)はＰＴＰ形式のブリスター包装体(２)と、このブリスター包装体(２)を覆うカバーケース(３)とからなる。
上記ブリスター包装体(２)は、表面(4a)に１０個の凸部(５)を形成して各凸部(５)内の収容部(６)にそれぞれ固形剤(10)を収容したプラスチック製の成型シート(４)と、この成型シート(４)の裏面(4b)に貼り合わせて各収容部(６)を個別密封するアルミ箔製のシールシート(７)とからなる。
【００１５】
上記１０個の凸部(５)は、５個ずつ２列に配置され、各列の収容部には２個の第１医薬(11)である錠剤と、２個の第２医薬(12)であるカプセルと、１個の第３医薬(13)である錠剤とが収容されている。これらの固形剤(10)を服用する場合は、１列の各医薬、即ち、これら３種５個の医薬(11・12・13)を一組として１回に服用される。
【００１６】
上記カバーケース(３)は吸湿性の低い合成紙で形成してあり、このカバーケース(３)の表面(3a)側には、上記各凸部(５)と対応する位置に開口部(８)を形成してこの開口部(８)から各凸部(５)を突出させてある。また、１回に取り出される収容部(６)全体を明示するため、各列を取り囲む表示線(９)が記載されている。なおこの表示線(９)は、１回に取り出される収容部(６)全体を明示するものであればよく、表示線に代えて色彩を施すなど、種々の表示手段を採用することができる。
【００１７】
一方、図１および図３に示すように、上記カバーケース(３)の裏面(3b)側には、１回に取り出される収容部(６)全体、即ち各列の収容部(６)全体と対向する部位ごとに開封部(14)が形成してある。この開封部(14)は、上記部位を取り囲む状態にジッパー形式のミシン線(15)を形成して構成してあり、開封部(14)の上端には掴み部(16)を形成してある。
なお、上記カバーケース(３)の表面(3a)と裏面(3b)には、図示を省略したが、服用時の注意事項や開封操作方法などの必要事項を詳しく記載してある。
【００１８】
次に、上記カバーケース付きブリスター包装体を開封する操作を説明する。
最初に、図３に示すように、カバーケース(３)の裏面(3b)側で、一方の開封部(14)の掴み部(16)を掴んでミシン線(15)を引き裂き、この開封部(14)を取り除く。なお、上記ジッパー形式のミシン線(15)は開封部(14)を取り囲む状態に形成してあるため、開封後もカバーケース(３)全体が分断されることがなく、ブリスター包装体(２)がカバーケース(３)から離脱することがない。
【００１９】
次いで上記開封した開封部(14)に対向している収容部(６)について、カバーケース(３)の表面(3a)側の前記開口部(８)から露出しているブリスター包装体(２)の凸部(５)を押圧し、固形剤(10)でシールシート(７)を押し破って各収容部(６)からこの固形剤(10)を取り出す。このとき誤って未開封の開封部(14)に対向している収容部(６)について凸部(５)を押圧しても、裏面側に開封部(14)があるためシールシート(７)を押し破ることができず、固形剤(10)を取り出すことができない。
【００２０】
上記第１実施形態のカバーケースの表面側には、ブリスター包装体の各凸部と対応する位置にそれぞれ開口部を形成したが、本発明の開口部は、カバーケースの表面側で上記凸部と対応する位置に開口部を形成したものであればよく、その形状等は特定のものに限定されない。
【００２１】
例えば、図４は本発明の第２実施形態を示し、１回に取出される収容部(６)全体を取り囲む状態に開口部(８)を形成したものである。またこの第２実施形態では、カバーケース(３)の裏面(3b)側に形成する開封部(14)を、上記第１実施形態と異なって破線状のミシン線(17)で取り囲んで構成してある。但し、この実施形態においても、破線状のミシン線に代えて、上記第１実施形態と同様のジッパー形式のミシン線で取り囲んで開封部を構成してもよい。
【００２２】
図５は本発明の第３実施形態を示す、カバーケース付きブリスター包装体の、一箇所の開封部を開封した状態の背面図である。
この実施形態では前記各実施形態と異なり、1回に取出される収容部(６)を二列ニ行に並べて配置してある。即ち、本発明のカバーケース付きブリスター包装体では、1回に取出される収容部を必ずしも一列に配置する必要はなく、任意の形状に配置することができる。
【００２３】
上記各実施形態では医薬品を包装する場合について説明したが、本発明のカバーケース付きブリスター包装体は医薬品の包装に限定されるものではなく、農薬や保健食品、その他の固形物の包装に用いることができる。
また上記各実施形態では１回に複数種の固形物を取出す場合について説明したが、同一種類の固形物を１回に所定数量ずつ取出す場合にも適用することができる。
さらに、上記１回に取出される被包装物は、上記実施形態のように複数であると所定数量を正確に取出せる点でより効果的であるが、本発明の包装体は１回に１個のみを取出す場合にも適用することができることは言うまでもない。
【００２４】
【発明の効果】
本発明は上記のように構成され作用することから、次の効果を奏する。
【００２５】
（１）ブリスター包装体をカバーケースが覆っており、特に、開封前には裏面側の全面を覆うことができるので、これらのブリスター包装体と一体となっているカバーケースに取出し操作や注意事項など、従来のブリスター包装体には十分にできなかった事項を表示することができる。この結果、これらの表示を読みながら正しく操作することにより、一度に服用される医薬など１回に取出す部分のみを開封して所定数量の被包装物を正確に取出すことができる。
【００２６】
（２）開封部を開封する前は誤って凸部を押圧しても被包装物を容易に取出すことはできず、しかも、開封部を開封することにより、１回に取り出される被包装物を収容した収容部のみを押圧して開封することができるので、誤って他の部分を開封する惧れがない。従って、所定数量の被包装物を正確に取り出すことができ、例えば１回に服用される医薬を過不足なく服用することができる。
【００２７】
（３）ブリスター包装体はカバーケースに覆われており、収容部ごとに切り離すことはできないので、包装体ごと誤って飲み込む惧れを無くすことができる。
【００２８】
（４）上記開封部を、上記１回に取り出される収容部全体と対向する部位を取り囲む状態にジッパー形式のミシン線を形成して構成した場合には、掴み部などを掴んで引き破ることで開封部全体を容易に且つ確実に開封でき、より好ましい。しかも、開封部を取り囲む状態にジッパー形式のミシン線を形成してあるため、開封後もカバーケース全体が分断されることがなく、ブリスター包装体がカバーケースから離脱するようなことがない。
【００２９】
（５）上記カバーケースを吸湿性の低い材料で形成した場合には、カバーケースが多量の水分を保持することがないので、水分と敏感に反応して品質劣化を生じ易い医薬品などもより安全に保護しながら包装でき、より好ましい。
【図面の簡単な説明】
【図１】本発明の第１実施形態を示す、カバーケース付きブリスター包装体の一部を破断した正面図である。
【図２】図１のブリスター包装体をＡ−Ａ線で破断した端面図である。
【図３】上記カバーケース付きブリスター包装体の、一方の開封部を開封する途中の背面図である。
【図４】本発明の第２実施形態を示す、カバーケース付きブリスター包装体の一部を破断した正面図である。
【図５】本発明の第３実施形態を示す、カバーケース付きブリスター包装体の、一箇所の開封部を開封した状態の背面図である。
【図６】従来技術を示す、ブリスター包装体の正面図である。
【符号の説明】
１  ：カバーケース付きブリスター包装体
２  ：ブリスター包装体
３  ：カバーケース
3a  ：カバーケースの表面
3b  ：カバーケースの裏面
４  ：成型シート
4a  ：成型シートの表面
4b  ：成型シートの裏面
５  ：凸部
６  ：収容部
７  ：シールシート
８  ：開口部
９  ：表示線
10  ：固形剤
11  ：第１医薬
12  ：第２医薬
13  ：第３医薬
14  ：開封部
15  ：ジッパー形式のミシン線
16  ：掴み部
17  ：破線状のミシン線
50  ：ブリスター包装体
51  ：凸部
52  ：固形剤
53  ：錠剤
54  ：カプセル
55  ：ミシン線
【図１】
0004310005.tif 000002
【図２】
0004310005.tif 000003
【図３】
0004310005.tif 000004
【図４】
0004310005.tif 000005
【図５】
0004310005.tif 000006
【図６】
0004310005.tif 000007